(57)【要約】【課題】インクと反応させて画質を向上する液体を用いて縁無し記録を行う記録装置で、記録装置および記録媒体の汚れが少なく、自然な仕上がりの記録結果を得られるインクジェット記録装置およびインクジェット記録方法を提供すること。【解決手段】標準の縁無し記録においては、標準の端部領域内で反応液の付与量を一定の割合で減少させながら付与を行う。またユーザによって端部領域が最大に指定される場合には、端部領域開始位置は標準の位置で、端部領域終了位置は、端部領域を最大に設定した位置として、その端部領域内で反応液の付与量を一定の割合で減少させながら付与を行う。【選択図】図８
2008143051.tif 000002
【特許請求の範囲】
【請求項１】
記録媒体の内から外に亘る端部領域に対して、インクおよび当該インクと反応する反応液を吐出して縁無し記録を行うインクジェット記録装置において、
前記反応液の付与量を、前記端部領域において前記記録媒体の内から外に向かうに従って、連続的に減少させることを特徴とするインクジェット記録装置。
【請求項２】
前記端部領域における前記記録媒体の内の端は、縁あり記録が行われる場合の縁部分の端に相当することを特徴とする請求項１に記載のインクジェット記録装置。
【請求項３】
前記端部領域に対する反応液の付与量を、一定の割合で減少させることを特徴とする請求項１または請求項２に記載のインクジェット記録装置。
【請求項４】
前記端部領域に対する反応液の付与量を、非線形に減少させることを特徴とする請求項１または請求項２に記載のインクジェット記録装置。
【請求項５】
記録媒体の内から外に亘る端部領域に対して、インクおよび当該インクと反応する反応液を吐出して縁無し記録を行うインクジェット記録方法において、
前記反応液の付与量を、前記端部領域において前記記録媒体の内から外に向かうに従って、連続的に減少させることを特徴とするインクジェット記録方法。
【発明の詳細な説明】
【技術分野】
【０００１】
本発明は、インクおよびそのインクと反応する反応液を用いて縁無しの記録を行うインクジェット記録装置およびインクジェット記録方法に関する。
【背景技術】
【０００２】
インクジェット記録方法は、紙等の記録媒体に対して記録ヘッドからインク滴を吐出して付着させることで画像等を形成して記録を行う記録方法である。一般的に利用されているインクジェット記録方法には、インク滴を吐出するために用いられる吐出エネルギ発生素子として、ヒータ等の電気熱変換素子を用いる方法がある。この方法は電気信号によってインク滴の吐出を制御することができる。その原理は、記録ヘッドのノズル内に設けられた電気熱変換素子に電圧を印加することで、電気熱変換素子近傍のインクを瞬時に沸騰させて、沸騰時のインクの相変化により生じる急激な発泡圧によってインク滴を高速に吐出させるというものである。
【０００３】
ところで、このインクジェット記録方法に用いるインクは、水を主成分としており、これにノズル内でのインクの乾燥防止およびノズルの目詰まり防止等の目的でグリコール等の水溶性高沸点溶剤を含有させるのが一般的である。したがって、吐出されたインク滴は乾燥しにくいことから記録媒体上で定着するのに時間がかかり、インクの十分な定着前に記録部が何かに触れた場合、その記録部には記録画像の乱れが生じて記録品位が低下することがある。
【０００４】
一方で近年インクジェット記録装置による記録には、銀塩写真と同等の高画質が求められており、色再現領域を広げることや、記録結果の色の均一性を向上させるなどの要求が高まっている。
【０００５】
そこで、上記の記録品位が低下するような不具合を改善すべく、特許文献１には、記録媒体に対してインクと、そのインクと反応する反応液と、を吐出して記録媒体上で混合させる方法が開示されている。これによって、耐水性に優れ、色再現性に優れる等の、比較的高記録品位の記録を実現することが可能である。また、同様の目的で、特許文献２には、相互に反応する複数のインクを記録媒体上に付与して、それらを反応させる方法が開示されており、これによっても、比較的高記録品位の記録を実現することが可能である。
【０００６】
また、銀塩写真では記録画像の周囲に余白の無い記録である所謂縁無し記録は、一般的に行われており、インクジェット記録によっても銀塩写真同様の縁無し記録が行われている。インクジェット記録装置で縁無し記録を行う場合、記録媒体の端部にまでインクを吐出する必要があり、その結果、記録媒体の外にまでインクが吐出される。この場合、記録媒体の外に吐出されたインクによって、記録媒体が汚されることがある。そこで、特許文献３には、記録媒体の始端、終端、更には幅方向の両端を縁なしで記録する場合に、記録媒体の外に打たれたインクによって記録媒体が汚されることがない工夫を施したインクジェット記録装置および記録方法が開示されている。
【０００７】
図１８は、縁無し記録を行っても、記録媒体が汚れない工夫が施された記録装置の記録部を示した図である。記録中の記録媒体１８１０を平坦に保持するプラテン１８１１の一部に穴部Ｈを設けて、記録媒体の外へ吐出されたインク滴を、その穴部Ｈで受ける。これによって、プラテン１８１１の、記録媒体１８１０と接触する部分にインクが付着することを防ぎ、記録媒体１８１０の搬送面がインクによって汚れることを防止している。
【０００８】
そして、前述したインクの反応を用いて高記録品位の記録を行う方法と、縁無し記録を実現させる方法とを組み合わせて記録を行う方法が、特許文献４に開示されている。一般的にインクジェット記録によって記録を行う場合、インク滴の吐出時や着弾時にミストが発生することが知られており、この現象は、インクと反応させるために用いる反応液を吐出する際も同様に発生することが知られている。
【０００９】
記録媒体に縁のある記録を行う場合には、発生したミストは、吐出したインクや反応液の液滴（以下、主滴ともいう）の着弾位置付近に着弾することから、ミストによる記録媒体の汚れが目立つことは無い。しかし、縁無し記録を行う場合、記録媒体の外に打たれるインク滴や反応液があるため、記録媒体に着弾しないミストが発生する。この記録媒体に着弾しないインクのミストおよび反応液のミストが、記録媒体の記録面以外の部分で反応し反応物を形成することから、その反応物のよる記録装置および記録媒体への汚染は著しいものとなる。
【００１０】
また、図１８のプラテン１８１１に設けられた穴部Ｈに吸収体を設置し、記録媒体の外に打たれたインクや反応液をその吸収体で受けるようにして縁なし記録を行うと、その吸収体に反応物が生成され、それに起因して吸収体の吸収能力が低下する。また、吸収体の液体吸収能力が低下するだけでなく、記録回数の増加に伴い、吸収体に付着した反応物が累積し、記録媒体搬送面を汚染し、さらに反応物が増加するに伴って、記録媒体の搬送を妨げてしまう。
【００１１】
そこで、このような不具合を改善するために特許文献４では、記録媒体の端部に記録を行う際の反応液の付与量を、端部以外の部分に付与する反応液の量に比べて少なくしている。これによって、反応物による記録装置への汚染や、吸収体の液体吸収能力低下および記録媒体への汚染を軽減している。
【００１２】
【特許文献１】特開昭６３−６０７８３号公報
【特許文献２】特開平６−１００８１１号公報
【特許文献３】特開２０００−３５１２０５号公報
【特許文献４】特開２００３−０２５５６３号公報
【発明の開示】
【発明が解決しようとする課題】
【００１３】
しかし、記録媒体の端部領域で反応液の付与量を急減に変化させると、端部領域以外の画像部と端部領域の画像部とで色味が変わってしまい、不自然な画像が形成される。  よって本発明は、インクと反応させて画質を向上する液体を用いて縁無し記録を行う記録装置で、記録装置および記録媒体の汚れが少なく、自然な仕上がりの記録結果を得られるインクジェット記録装置およびインクジェット記録方法を提供することを目的とする。
【課題を解決するための手段】
【００１４】
そのため本発明は、記録媒体の内から外に亘る端部領域に対して、インクおよび当該インクと反応する反応液を吐出して縁無し記録を行うインクジェット記録装置において、前記反応液の付与量を、前記端部領域において前記記録媒体の内から外に向かうに従って、連続的に減少させることを特徴とする。
【００１５】
また、本発明は、記録媒体の内から外に亘る端部領域に対して、インクおよび当該インクと反応する反応液を吐出して縁無し記録を行うインクジェット記録方法において、前記反応液の付与量を、前記端部領域において前記記録媒体の内から外に向かうに従って、連続的に減少させることを特徴とする。
【発明の効果】
【００１６】
本発明によれば、反応するインクを用いて縁無し記録を行う際に、端部領域において反応液の付与量を徐々減少させる。これによって、記録装置および記録媒体の汚れが少なく、自然な仕上がりの記録結果を得ることができる。
【発明を実施するための最良の形態】
【００１７】
（基本的構成）
以下、図面を参照して本発明の一実施形態を詳細に説明する。  
本発明のインクジェット記録装置は、インクを収容したインク収容部（インクタンク部）と、そのインクを吐出させるためのインク吐出部（以下、記録ヘッドともいう）とを有する第１の記録ユニット（以下、記録用カートリッジともいう）を備えている。さらにインクジェット記録装置は、インクと反応する反応液を収容した液体収容部（反応液タンク部）と、反応液を吐出させる液体吐出部（反応液吐出用ヘッド）とを有する第２の記録ユニット（反応液用カートリッジ）を備えており、これらを用いて記録を行う。このように本実施形態の記録装置では、インクと、そのインクと反応する液体とを用いて記録することによって高画質記録を実現するものである。
【００１８】
図１は、本発明を適用可能なインクジェット記録装置の概略構成の一例を示す模式的斜視図である。図１において、インクを吐出して記録を行うための記録用カートリッジ１と、反応液を吐出するための反応液用カートリッジ２の２種類のカートリッジ（構造は同じ）がキャリッジ３に搭載されている。図示の例では、それぞれ異なる色のインクを吐出する４個の記録用カートリッジ（１Ｙ、１Ｍ、１Ｃ、１Ｂ）と１個の反応液用カートリッジ２とが使用されている。
【００１９】
記録用カートリッジ１の各々は、上部のインクタンク部（インク収容部）と下部のインク吐出部（インク吐出用ヘッド部）とから構成されている。反応液用カートリッジ２は、上部の反応液タンク部（液体収容部）と下部の反応液吐出部（液体吐出部）とから構成されている。さらに、これら記録用カートリッジ１および反応液用カートリッジ２には、駆動信号などを受信するためのコネクタが設けられている。
【００２０】
キャリッジ３には各記録用カートリッジ１の各インク吐出部および反応液用カートリッジ２の液体吐出部を駆動する信号などを伝達するためのコネクタホルダ（不図示）が設けられている。このコネクタホルダを介してキャリッジ３と記録用カートリッジ１および反応液用カートリッジ２とは電気的に接続される。
【００２１】
各記録用カートリッジ１のインク吐出部は、それぞれ異なった色のインク、例えばイエロー（Ｙ）、マゼンタ（Ｍ）、シアン（Ｃ）、ブラック（Ｂ）のインクを吐出する。図１では、図示左から、イエロー、マゼンタ、シアン，ブラックの各インクの記録用カートリッジ１Ｙ、１Ｍ、１Ｃ、１Ｂが搭載され、そしてそれら記録用カートリッジ１の隣に反応液を吐出するための反応液用カートリッジ２が搭載されている。
【００２２】
図１においてキャリッジ３は、走査レール４によって主走査方向に摺動自在に支持されており、駆動ベルト５によって駆動力が伝達されることで往復走査が可能になっている。搬送ローラ対６、７および同８、９は、記録用カートリッジのインク吐出部によって吐出が行われる位置の前後に配置されており、記録媒体１０を挟持して、キャリッジ３による走査に連動して記録媒体１０を搬送する。紙などの記録媒体１０は、記録が行われる位置で、記録面を平坦に規制するためのプラテン（不図示）に圧接状態で案内支持されている。この時、キャリッジ３に搭載された各カートリッジ１、２の吐出口形成面は、キャリッジ３から下方へ突出して搬送用ローラ７、９間に位置し、プラテンの案内面に圧接された記録媒体１０に平行に対向するようになっている。
【００２３】
図１のインクジェット記録装置の記録領域を外れた部分に設定されたホームポジションＨＰの近傍には、回復ユニット１１が配設されている。回復ユニット１１には、４個の記録用カートリッジ（インク吐出部）１Ｙ、１Ｍ、１Ｃ、１Ｂに対応する４個のキャップ１２と１個の反応液用カートリッジ（液体吐出部）２に対応する１個のキャップ１３が上下方向に昇降可能に設けられている。そして、キャリッジ３がホームポジションＨＰにあるときに、記録用カートリッジ１および反応液用カートリッジ２の吐出口形成面に対応するキャップ１２、１３が圧接接合されることで記録用カートリッジ１および反応液用カートリッジ２の吐出口が密封される。この密封（以下、キャッピングともいう）することにより、吐出口内のインク溶剤の蒸発によるインクの増粘および固着が防止され、吐出不良の発生が防止される。
【００２４】
また、回復ユニット１１は、各キャップ１２に連通した吸引ポンプ１４とキャップ１３に連通した吸引ポンプ１５を備えている。これらのポンプ１４、１５は、インク吐出部や液体吐出部に吐出不良が生じた場合に、それらの吐出口形成面をキャップ１２、１３でキャッピングして吸引回復処理を実行するのに使用される。さらに、回復ユニット１１には、ゴムなどの弾性部材から成る２個のワイピング部材（以下、ブレードともいう）１６、１７が設けられている。ブレード１６はブレードホルダ１８によって保持され、ブレード１７はブレードホルダ１９によって保持されている。
【００２５】
図１においてブレードホルダ１８、１９は、駆動されるブレード昇降機構（不図示）により昇降される。それによって、ブレード１６、１７も、各カートリッジ１、２の吐出口形成面に付着したインクや異物をワイピングすべく上昇した位置（ワイピング位置）と、吐出口形成面に接触しない下降位置（待機位置）との間で昇降する。この場合、記録用カートリッジ１の吐出口形成面をワイピングするためのブレード１６と、反応液用カ−トリッジ２の吐出口形成面をワイピングするためのブレード１７は、互いに独立して、個別に昇降できるように構成されている。
【００２６】
そして、キャリッジ３が図１中ホームポジションＨＰの反対側からホームポジションＨＰ側へ移動するとき、あるいはホームポジションＨＰ側からホームポジションＨＰの反対側へ移動するときにブレード１６が各記録用カートリッジ１の吐出口形成面と当接する。当接することによって、ブレード１７が反応液用カートリッジ２の吐出口形成面と当接して、相対移動によってそれらの吐出口形成面の拭き取り（ワイピング）動作が行われる。
【００２７】
図２は、インク吐出部とインクタンクとを一体化した構造の記録用カートリッジ１を示す模式的斜視図である。なお、反応液用カートリッジ２は、内部に貯蔵しているものがインクではなく反応液である点を除き、記録用カートリッジ１と実質上同じ構成をしている。図２において、記録用カートリッジ１は、上部にインクタンク部２１を、下部にインク吐出部（インク吐出用ヘッド部）２２を有している。さらに、記録用カートリッジ１は、インク吐出部２２を駆動するための信号などを受信するとともにインク残量検知信号を出力するためのヘッド側コネクタ２３を有している。このコネクタ２３はインクタンク部２１と隣接する位置に設けられている。
【００２８】
図２においてインク吐出部２２は、吐出口形成面８１を有し、その吐出口形成面８１には複数の吐出口（不図示）が形成されている。インクタンク部２１から各吐出口に通じる液路部分には、インクを吐出するのに必要なエネルギを発生するための吐出エネルギ発生素子が配置されている。本実施形態ではエネルギ発生素子として、電気熱変換体を用いている。
【００２９】
記録用カートリッジ１は、インクを吐出して記録を行うインクジェット記録手段であり、インクタンク部２１内のインクが無くなった場合等に交換可能な構成となっている。またインク吐出部２２は、熱エネルギを利用してインクを吐出するためのインクジェット記録ヘッドであって、熱エネルギを発生するための電気熱変換体を備えたものである。このインク吐出部２２は、電気熱変換体に電圧が印加され、発生する熱エネルギにより膜沸騰を生じさせ、膜沸騰による気泡の成長、収縮によって生じる圧力変化を利用して吐出口よりインクを吐出させ、記録を行なうものである。
【００３０】
図３は、インク吐出部２２の構造を模式的に示す部分斜視図である。図３において、記録媒体１０と所定の隙間（例えば、約０．５〜２．０ｍｍ程度）をあけて対面する吐出口形成面８１には、所定のピッチで複数の吐出口８２が形成されている。そして、共通液室８３と各吐出口８２とを連通する各液路８４の壁面に沿ってインク吐出用のエネルギを発生するための電気熱変換体８５が配設されている。複数の吐出口８２は、記録用カートリッジ１の移動方向（主走査方向）と交差する方向に並ぶ位置関係で配列されている。このように構成されるインク吐出部２２では、画像信号または吐出信号に基づいて対応する電気熱変換体８５を駆動して、液路８４内のインクを膜沸騰させ、その時に発生する圧力によって吐出口８２からインクを吐出させる。反応液吐出部は、インク吐出部と同様に構成されているため説明を省略する。
【００３１】
なお、上記ではインクおよび反応液に熱エネルギを作用させて吐出動作を行う方式のインクジェット記録装置を例に挙げたが、本発明はこの方式に限定されるものではなく、例えば、圧電素子を使用するピエゾ方式のインクジェット記録装置も適用可能である。
【００３２】
また、インクと反応液は必ずしも１対１、つまりインク１ドットに対して反応液１ドットが吐出されるわけではなく、インクと反応液との比率は、適宜変更可能である。以下の説明では、インクと反応液との吐出の割合に関係なく、共に予め設定された付与量を基準として説明を行う。
【００３３】
ここで、記録媒体端部（縁あり記録での縁となる部分）にて反応液の付与量を低減させた場合の記録状態を確認した結果について説明する。  
図４は、確認に用いた原画像を表わした図であり、図５は、記録媒体の外への反応液の付与を防止すべく、端部領域内の所定位置を堺に反応液を付与しないようにして記録を行った結果を表わした図である。ここで言う「端部領域」とは、縁あり記録が行われる場合の記録媒体の縁に相当する部分と、縁無し記録を行うために記録媒体の外でインクが吐出される部分とを合わせた領域であり、以後の説明において同様の意味で用いる。図５の記録を行う際には、図４の原画像が記録媒体の外端５１よりも大きくなるように拡大して、標準的な縁無し記録モードで記録を行った。
【００３４】
また図６は、図５の記録を行った場合の、端部領域Ｑａと反応液の付与量の関係がわかるように示した図である。端部領域開始位置２２１（縁あり記録が行われる場合の記録媒体内の縁と画像の境界）までは所定量の反応液を付与しているが、端部領域開始位置２２１から端部領域終了位置２２２までは反応液を付与しないようにしている。
【００３５】
図５からわかるように、反応液の付与量を急激に低減させた記録媒体の端部（縁あり記録での縁となる部分）は、端部以外の部分と端部とで色味が変わっている。
【００３６】
この色味の異なる部分を極力無くすために、できるだけ反応液の付与量の低減を開始する位置を記録媒体の外端５１に近づけることが考えられる。
【００３７】
図７（ａ）および（ｂ）は、反応液の付与量の低減を開始する位置を、できるだけ記録媒体の外端５１に近づけて記録を行ったものである。このような場合、記録装置に対して記録媒体をセットする位置がずれると図７（ａ）のように記録媒体の外端の一部に色味の異なる部分５２が現れることになる。この場合、記録媒体の色味の異なる部分ではない部分５３で記録媒体の外に多くの反応液が吐出されることにもなる。また、図７（ｂ）のように標準サイズの記録媒体５１よりも若干大きなサイズの記録媒体５４に記録を行うような場合には、記録媒体周囲外端に色味の異なる部分５５ができてしまう。
【００３８】
このように、反応液の付与量を急減に変化させて記録を行うと、記録結果にインクの発色が十分でない色味の違う領域ができてしまうこともある。
【００３９】
（特徴的構成）
そこで本実施形態では、色味が不自然な部分の発生を軽減し、かつ記録媒体の外への反応液の付与量を少なくするために、端部領域で反応液の付与量を徐々に低減させて記録を行う。以下にその方法について説明する。  
図８は、本実施形態の記録装置で記録を行った場合の端部領域Ｑｂと反応液の付与量との関係がわかるように示した図である。端部領域Ｑｂの幅２０１や端部領域開始位置および端部領域終了位置は、図６における端部領域Ｑａと同じである。しかし、端部領域開始位置２２１から反応液の付与量低減を開始し、端部領域終了位置２２２まで付与量を徐々に低減させて記録を行う点が図６の記録方法とは異なる。また、図９は、図８に示した記録方法で記録を行った結果を示した図である。
【００４０】
図９からもわかるように、端部領域開始位置２２１から反応液の付与量低減を開始し、端部領域終了位置２２２まで付与量を徐々に低減させて記録を行った場合、端部で不自然に色味の違う部分が発生することは抑制され、色味の変化も目立たなくなる。また、図８の外部付与量２３１に示すように、このような記録方法でも記録媒体の外部へ反応液が付与されるが、その量はわずかであり端部領域終了位置２２２まで反応液の付与量を低減させずに一定量で付与する従来技術と比較して、その量は大幅に低減される。したがって、端部領域開始位置２２１から反応液の付与量低減を開始し、端部領域終了位置２２２まで付与量を連続的に低減させて記録を行うことで、記録装置および記録媒体の汚れが少なく、自然な仕上がりの記録結果を得ることができた。
【００４１】
なお、本実施形態の場合、端部領域開始位置２２１は、縁あり記録が行われる場合の縁の開始位置であり、一般的に記録媒体がはがきサイズからＡ４サイズでは、端部領域開始位置２２１から記録媒体の外端５１までは３〜５ｍｍである。この場合、図８における端部領域の幅Ｑｂは、４〜７ｍｍ程度となる。また、デザインプリンタ、プロッタプリンタなどの大判用記録装置で記録を行う場合、端部領域の幅は、２０ｍｍ以上に設定することが好ましい。
【００４２】
ここまでは標準的なサイズの記録媒体に記録を行う場合について説明したが、以下は、標準的なサイズの記録媒体よりも若干大きなサイズの記録媒体に記録を行う場合について説明する。  
標準的なサイズの記録媒体よりも若干大きなサイズの記録媒体に記録を行う場合、本実施形態のインクジェット記録装置では、ユーザによって端部領域を最大に指定して記録を行う。  
【００４３】
図１０は、ユーザが標準的なサイズの記録媒体よりも若干大きなサイズの記録媒体に記録を行うために、端部領域の幅を単純に拡大し、最大にして記録を行った結果を示した図である。図１０において記録媒体の外端１０１は、図５の記録媒体の外端５１よりも大きくなっている。
【００４４】
図１０に示した記録も上記の記録方法、つまり端部領域開始位置から反応液の付与量低減を開始し、端部領域終了位置まで付与量を徐々に低減させて記録を行ったものである。しかし、端部領域の幅を最大に設定していることから、色味が不自然な部分１０２が記録媒体上に現れている。
【００４５】
図１１は、図１０の記録を行った場合の端部領域Ｑｃと反応液の付与量との関係がわかるように示した図である。端部領域の幅を単純に拡大したことにより、端部領域開始位置２２０は、図８の端部領域開始位置２２１よりもさらに画像の内側に位置しており、端部領域終了位置２２５は、図８の端部領域終了位置２２２よりも外側に位置している。記録媒体が標準的なサイズではないため、図１１のように端部領域Ｑｃを最大に設定しており記録媒体上にも端部領域Ｑｃの一部（端部領域開始位置２２０から外端１０１まで）が大きく入り込んでいる。このように記録媒体に大きく入り込んだ端部領域Ｑｃの一部が色味の不自然な部分１０２になる。そこで、端部領域終了位置２２５の位置はそのままで、端部領域開始位置２２０を端部領域終了位置２２５側へ移動して、端部領域開始位置２２４として端部領域Ｑｄの幅を図６の端部領域Ｑａと同じにして記録を行った。
【００４６】
図１２は、その記録結果であり、端部領域の幅を図６における端部領域Ｑａの幅と同じにしている。その結果、記録媒体上に色味が不自然な部分は発生していないが、記録媒体の外への反応液の付与量が多くなり、記録装置や記録媒体の汚れが発生してしまう。
【００４７】
図１３は、図１２で示される記録を行った場合の端部領域Ｑｄと反応液の付与量との関係がわかるように示した図である。記録媒体の外端１０１まで反応液が十分に付与されているため、記録媒体上に色味の不自然な部分は現れない。しかし、記録媒体の外に吐出される反応液の外部吐出量１２３は多くなっており、ユーザによって端部領域を最大に指定する場合、この記録方法では、記録装置および記録媒体の汚れの発生は改善されない。
【００４８】
そこで、ユーザによって端部領域を最大に指定する場合には、本実施形態のインクジェット記録装置では、端部領域開始位置には標準位置、つまり縁あり記録を行う場合の縁開始位置（図８における端部領域開始位置２２１と同じ位置）を設定する。そして、端部領域終了位置は、端部領域を最大に設定した位置、つまり図１１における端部領域終了位置２２５に設定する。
【００４９】
図１４は、本実施形態のインクジェット記録装置で、ユーザによって端部領域を最大に指定して、標準サイズよりも大きな記録媒体に記録を行った結果を表わした図である。また、図１５は、図１４の記録を行う場合の端部領域Ｑｅと反応液の付与量との関係がわかるように示した図である。図１４からもわかるように、記録媒体上に色味の不自然な部分は発生していない。そして、この記録方法では、記録媒体の外部への反応液の付与量が少ないため、従来に比べて、記録装置や記録媒体の汚染を軽減している。
【００５０】
なお図１５で端部領域開始位置２２１は、標準サイズの記録媒体に記録を行う場合の端部領域開始位置、つまり図８における端部領域開始位置２２１と同じ位置であり図６の端部領域Ｑｂと比較した場合、端部領域Ｑｅは端部領域Ｑｂの外周部を広げた領域となる。この端部領域開始位置２２１から端部領域終了位置２２５までの寸法（端部領域Ｑｅの幅寸法）は、１０〜２０ｍｍ程度が好ましい。また、デザインプリンタ、プロッタプリンタなどの大判用記録装置で記録を行う場合、端部領域Ｑｅの幅寸法は、２０ｍｍ以上、例えば５０ｍｍ程度に設定することが好ましい。
【００５１】
このように、標準の縁無し記録においては、標準の端部領域内で反応液の付与量を一定の割合で減少させながら付与を行う。またユーザによって端部領域を最大に指定する場合には、端部領域開始（反応液付与を減少開始する）位置は標準の位置で、端部領域終了位置は、端部領域を最大に設定した位置として、その端部領域内で反応液の付与量を一定の割合で減少させながら付与を行う。この記録方法にしたがって記録を行うことで、インクと反応させて画質を向上する液体を用いて縁無し記録を行う記録装置で、記録装置および記録媒体の汚れが少なく、自然な仕上がりの記録結果を得ることができる。
【００５２】
このように付与量を少なくするにあたって、反応液の付与量を低減させる方法としては、下記に挙げる方法を用いることが好ましい。そして、これらの方法を単独で用いても、併用してもどちらでもよい。
【００５３】
（i）  間引き記録方法
間引き記録とは、吐出する液滴を間引いて記録を行うことである。例えば、反応液吐出データをある割合で間引き、インク吐出データは間引かないようにして、インクが吐出される全箇所の一部分に対して反応液を吐出するような構成である。この構成によれば、反応液を間引いて吐出するため、反応液ミストの発生および記録媒体における反応液とインクとの接触によるインクミストの発生を、完全には防止できないまでも、低減することができ、その結果、反応物による汚染を低減できる。さらに、反応液だけを間引くのではなく、インクもある割合で間引くように構成してもよい。この構成によれば、反応液のみを間引く場合に比べ、反応液ミストおよびインクミストが低減されるため、インクミストと反応液ミストとによる反応物の発生量を少なくすることができる。
【００５４】
また、反応系としてカチオン性のインクとアニオン性のインクとの組合せを用いる場合、例えば、アニオン性のカラーインクは間引かずに、ブラックインク吐出データをある割合で間引いてカチオン性のブラックインクの付与量を減らすように構成してもよい。さらに、カチオン性のブラックインクとアニオン性のカラーインク（Ｙ、Ｍ、Ｃ）の両方をある割合で間引くように構成してもよい。
【００５５】
以上のように、インクおよび反応液の少なくとも一方を間引いて記録を行う間引き記録方法によれば、付与されるインクおよび反応液の量が少なくなるため、その分、インクミストの量や反応液ミストの量も低減する。それに伴ってインクミストと反応液ミストとによる余計な反応物の発生も防止あるいは抑制され、反応物がプラテン上や記録媒体裏面に付着することも少なくなる。
（ｉｉ）吐出口からの１滴あたりの吐出量低減記録方法
（i）の間引き記録方法では、インクまたは反応液のうち少なくとも一方を間引くことでインクミストや反応液ミストの発生を低減させているが、ここでは、吐出口からの１滴あたりの吐出量を減らすことでインクミストや反応液ミストの発生を低減させている。吐出口からの１滴あたりの吐出量を低減させる方法としては、ノズル毎に設けられた電気熱変換素子に与えるプレパルスの幅を調整する方法や、プレヒートパルスとメインパルスとの間のインターバルタイムの長さを調整する方法、駆動電圧を調整する方法等がある。なお、プレパルスは主に液路内のインク温度を制御するためのパルスであり、吐出量制御の重要な役割を荷っている。このプレパルス幅は、その印加によって電気熱変換体が発生する熱エネルギによって液体中に発泡現象が生じないような値に設定するのが好ましい。インターバルタイムは、液路内の液体へのプレパルスのエネルギ伝達のための時間を確保するものである。メインパルスは、液路内の液体中に発泡を生ぜしめ、吐出口より液体を吐出させるものである。
【００５６】
ここでは、インクまたは反応液の両者のうち少なくとも一方に関し、吐出口からの１滴あたりの吐出量を減らすこととしている。具体的には、余白なし記録モードの場合、通常記録モードに比して反応液の１滴あたりの吐出量を減らすように構成する。また、反応液およびインクの双方の１滴あたりの吐出量を減らすように構成してもよい。この構成によれば、付与されるインクおよび反応液の量が少なくなるため、その分、着弾時やすでに着弾しているインクおよび反応液に接触した際に発生するインクミスト量や反応液ミスト量が低減する。それに伴ってインクミストと反応液ミストとによる余計な反応物の発生も防止あるいは抑制され、反応物がプラテン上や記録媒体裏面に付着することも少なくなる。
【００５７】
なお、間引いたり、吐出口からの１滴あたり吐出量を低減させたりするのは、インクと反応液の両方を対象としてもよいし、反応液のみを対象としてもよい。
【００５８】
以上のように、端部領域以外の領域に比して端部領域において、間引き率や吐出量低減率を大きくする構成によれば、記録媒体の端部に打ち込まれるインクや反応液が少なくなるため、プラテンに着弾するインクや反応液の量も減る。その結果、プラテンや記録媒体の汚染を低減できる。また、記録媒体の端部や記録媒体の外側への反応液の吐出を極力減少させことで、記録媒体の搬送経路に設けられた吸収体の吸収能力を低下させないと共に、インクと反応液による反応物の生成が低減されるので記録媒体の搬送が妨げられることを抑制できる。
【００５９】
ユーザによって記録媒体の端部に対して打ち込まれる反応液の付与条件の指定について説明を行う。  
図１７は、インクジェット記録装置２２０１と外部装置であるパーソナルコンピュータ（ＰＣ）２２０２、モニタ２２０３、キーボード２２０４およびマウス２２０５とがケーブル２２０６〜２２０９により接続された形態を示している。ＰＣ２２０２が記憶しているインクジェット記録装置２２０１のプリンタドライバのＵＩ（ユーザインターフェース）がモニタ２２０３上に表示されている。ユーザはキーボード２２０４およびマウス２２０５を使ってＵＩを操作し、種々の設定ができる。ＵＩには余白なし記録モードを設定するためのボタンがあり、ユーザがその設定ボタンを選択し、さらにＰＣ２２０２が記憶しているアプリケーションのＵＩを操作し記録開始の指示を行う。その後、アプリケーションはプリンタドライバに記録指示を行い、これを受けてプリンタドライバはインクジェット記録装置２２０１に対し、余白なし記録の指示を伝達する。
【００６０】
通常、これによってプリンタドライバは記録画像データの伝達とあわせて、反応液付与の条件をインクジェット記録装置２２０１に対し指示するか、反応液付与の条件に応じた反応液の吐出画像データを作成しインクジェット記録装置２２０１に伝達する。これによって、記録媒体端部の近傍領域に対し適切な反応液の付与を、あらかじめ設定された条件に基づき行う。  
なお、上記ではＵＩを操作においてボタンと説明したが、これはアイコンでもよく、チェックボックスでもよい。
【００６１】
ユーザがキーボード２２０４およびマウス２２０５でＵＩを操作し、余白なし記録モードを選択して、さらにはみ出し量を変更するようにＵＩに表示されたスライドバーを用いて操作されたとき、記録媒体の端部に打ち込まれる反応液の付与は減少条件となる。しかし、場合によってユーザは端部のわずかな画像の変化も受け入れられない場合もある。その場合、このＵＩを操作し、ユーザは反応液の減少付与をキャンセルし画像の記録部には規定量の反応液を付与することを選択する。ＵＩには反応液減少付与のキャンセルを設定するためのボタンがあり、ユーザが設定ボタンを選択し、さらにＰＣ２２０２が記憶しているアプリケーションのＵＩを操作し記録開始の指示を行うと、アプリケーションはプリンタドライバに記録指示を行う。これを受けてプリンタドライバは、インクジェット記録装置２２０１に対し、記録の指示を伝達する。
【００６２】
これによってＰＣ２２０２が記憶しているインクジェット記録装置２２０１のプリンタドライバ、またはコントローラは、記録画像データの伝達とあわせて、変更された反応液付与の条件をインクジェット記録装置２２０１に対し指示する。もしくは、プリンタドライバ、またはコントローラは、変更された反応液付与の条件に応じた反応液の吐出画像データを作成しインクジェット記録装置２２０１に伝達する。あるいは、プリンタドライバ、またはコントローラは、インクジェット記録装置２２０１内において変更された反応液付与の条件の応じた反応液の吐出画像データを作成することによって、記録媒体端部の近傍領域に対し規定量の反応液の付与を行う。
【００６３】
この場合、ミスト等の反応物による汚染の問題は避けられない。そこでドライバのＵＩではこのキャンセル指定は非推奨を表示し、また多用されることを制限するため、キャンセル操作の履歴をとり記録装置に問題のある頻度の場合には警告を発するなどの多用防止手段をもうけた。
【００６４】
なお、上記ではＵＩを操作においてボタン、スライドバーと説明したが、これはアイコンでもよく、チェックボックスや、ラジオボタンでもよい。
【００６５】
以下では本発明で使用したインクおよび反応液等の反応系１、反応系２および反応系３について説明する。なお、文中、部および％とあるのは特に断りのない限り質量基準である。反応系１は相互に反応するインクと反応液の組み合わせである。また反応系２は、相互に反応するインク（ブラックインク）とインク（カラーインク）の組み合わせである。また、反応系３は相互に反応し、かつ相互に逆極性を有するインクと微粒子含有反応液の組み合わせである。
【００６６】
〔反応系１〕
（インクサブセット１の作製）下記成分を混合し、更にポアサイズが０．２２μｍのフロロポアフィルターにて加圧濾過し、ブラックインクＢｋ１、イエローインクＹ１、マゼンタインクＭ１およびシアンインクＣ１を得た。Ｂｋ１、Ｙ１、Ｍ１およびＣ１の組み合わせをインクサブセット１と呼ぶ。
＜Ｂｋ１の組成＞
・Ｃ．Ｉ．フードブラック２４．０部
・チオジグリコール１０部
・アセチレノールＥＨ（川研ケミカルス社製）０．０５部
・イオン交換水８５．９５部
＜Ｙ１の組成＞
・Ｃ．Ｉ．ダイレクトイエロー１４２ ２部
・チオジグリコール １０部
・アセチレノールＥＨ（川研ケミカルス社製）０．０５部
・イオン交換水８７．９５部
＜Ｍ１の組成＞
・Ｃ．Ｉ．アシッド９２２．５部
・チオジグリコール１０部
・アセチレノールＥＨ（川研ケミカルス社製）０．０５部
・イオン交換水８７．４５部
＜Ｃ１の組成＞
・Ｃ．Ｉ．ダイレクトブルー１９９２．５部
・チオジグリコール １０部
・アセチレノールＥＨ（川研ケミカルス社製）０．０５部
・イオン交換水８７．４５部
（液体組成物１の作製）下記成分を混合し、更にポアサイズが０．２２μｍのフロロポアフィルターにて加圧濾過し、液体組成物１を得た。
＜液体組成物１の組成＞
・ポリアリルアミン（自社合成）５部
・ポリアリルアミン塩酸塩（自社合成）３部
・チオジグリコール１０部
・イオン交換水８２部
【００６７】
〔反応系２〕
（インクサブセット２の作製）下記成分を混合し、更にポアサイズが１μｍのテフロン（登録商標）（Ｒ）フィルターにて加圧濾過し、ブラックインクＢｋ２、イエローインクＹ２、マゼンタインクＭ２およびシアンインクＣ２を得た。Ｙ２、Ｍ２およびＣ２の組み合わせをインクサブセット２と呼ぶ。尚、Ｂｋ２の色材はインク中でカチオン性を示し、Ｙ２とＭ２およびＣ２の色材はアニオン性を示す。
＜Ｂｋ２の組成＞
・ＤｉａｃｒｙｌＳｕｐｒａ  ＢｌａｃｋＥＳＬ（三菱製）３部
・エチレングリコール１０部
・スルホラン５部
・シクロヘキサノール２部
・アセチレノールＥＨ（川研ケミカルス製）０．０５部
・イオン交換水８０部
＜Ｙ２の組成＞
・Ｃ．Ｉ．ダイレクトイエロー２９３部
・エチレングリコール１０部
・スルホラン５部
・シクロヘキサノール２部
・アセチレノールＥＨ（川研ケミカルス製）１部
・イオン交換水７９部
＜Ｍ２の組成＞
・Ｃ．Ｉ．アシッドレッド２８９３部
・エチレングリコール１０部
・スルホラン５部
・シクロヘキサノール２部
・アセチレノールＥＨ（川研ケミカルス製）１部
・イオン交換水７９部
＜Ｙ２の組成＞
・Ｃ．Ｉ．ダイレクトブルー１９９３部
・エチレングリコール１０部
・スルホラン５部
・シクロヘキサノール２部
・アセチレノールＥＨ（川研ケミカルス製）１部
・イオン交換水７９部
【００６８】
〔反応系３〕
（インクサブセット３の作製）下記成分を混合し、更にポアサイズが０．４５μｍのフロロポアフィルターにて加圧濾過し、ブラックインクＢｋ３、イエローインクＹ３、マゼンタインクＭ３およびシアンインクＣ３を得た。Ｂｋ３、Ｙ３、Ｍ３およびＣ３の組み合わせをインクサブセット３と呼ぶ。尚、Ｂｋ３、Ｙ３、Ｍ３およびＣ３の色材はインク中でアニオン性を示す。
＜Ｂｋ３の組成＞
・Ｃ．Ｉ．ダイレクトブラック１９５２．５部
・２−ピロリドン１０部
・グリセリン５部
・イソプロピルアルコール４部
・水酸化ナトリウム０．４部
・イオン交換水７８．１部
＜Ｙ３の組成＞
・Projet Fast Yellow ２（Zeneca社製）２部
・Ｃ．Ｉ．ダイレクトイエロー８６１部
・チオジグリコール８部
・エチレングリコール８部
・アセチレノールＥＨ（川研ケミカルス製）０．２部
・イソプロピルアルコール４部
・イオン交換水７６．８部
＜Ｍ３の組成＞
・ProjetFastMagenta２（Zeneca社製）３部
・グリセリン７部
・尿素７部
・アセチレノールＥＨ（川研ケミカルス製）０.２部
・イソプロピルアルコール４部
・イオン交換水７８．８部
＜Ｃ３の組成＞
・Ｃ．Ｉ．ダイレクトブルー１９９３部
・エチレングリコール７部
・ジエチレングリコール１０部
・アセチレノールＥＨ（川研ケミカルス製）０．３部
・イオン交換水７９．７部（微粒子含有液体組成物３の作製）以下に示す各成分を混合溶解した後、ポアサイズが１μｍのメンブレンフィルター（商品名、フロロポアフィルター、住友電工（株）製）にて加圧濾過し、本発明の微粒子含有液体組成物を得た。
【００６９】
（アルミナ水和物の合成）米国特許明細書第４，２４２，２７１号に記載の方法でアルミニウムドデキシドを製造した。次に、米国特許明細書第４，２０２，８７０号に記載された方法で、前記アルミニウムドデキシドを加水分解してアルミナスラリーを製造した。このアルミナスラリーをアルミナ水和物の固形分が８．２％になるまで水を加えた。アルミナスラリーのｐＨは９．７であった。３．９％の硝酸溶液を加えてｐＨを５．３に調整し、オートクレーブにて１２０℃８時間熟成させてコロイダルゾルを得た。このコロイダルゾルを硝酸でｐＨ＝４．０に調整し、固形分濃度２０％に濃縮してアルミナ水和物スラリーを作製した。これらのスラリー中のアルミナ水和物は水中で表面がプラスに帯電し、カチオン性を示す。また、これらのアルミナ水和物スラリーをイオン交換水に希釈し分散させてコロジオン膜上に滴下して測定用試料を作製し、透過型電子顕微鏡で観察したところすべて平板形状の微粒子であった。
【００７０】
＜微粒子含有液体組成物３の組成＞
・１．５−ペンタンジオール１０．０質量部
・エチレングリコール７．５質量部
・アルミナ水和物スラリー５０．０質量部
・水３２．５質量部上記成分を乳化分散機ＴＫロボミックス（特殊機化工業株式会社製）にて３０００ｒｐｍで３０分間混合した後、遠心分離処理（４０００ｒｐｍ、１５分間）を行い、粗大粒子を除去して微粒子含有液体組成物３とした。
【００７１】
上記で得られた微粒子含有液体組成物３のｐＨは３．９であり、微粒子の平均粒子径は８０ｎｍ、ゼータ電位は＋４１ｍＶであった。また、インクタンクに微粒子含有液体組成物３を充填し、６０℃／Ｄｒｙ・１ヶ月の保存試験を行った後もインクタンク内に沈降物は見られず、記録ヘッドからの吐出安定性も良好であった。また、微粒子含有液体組成物３から得られた微粒子凝集物は細孔半径が３ｎｍ〜３０ｎｍの範囲における細孔容積は０．９０ｍｌ／ｇであり、３０ｎｍを越える範囲での細孔容積は０．００１ｍｌ／ｇであった。また、３ｎｍ〜２０ｎｍの範囲での細孔容積は０．８９ｍｌ／ｇであり、２０ｎｍを越える範囲での細孔容積は０．０１ｍｌ／ｇであった。
【００７２】
上記微粒子液体組成物３の物性評価方法は以下に従って行った。
【００７３】
１）微粒子の平均粒子径微粒子の固形分濃度を０．１％になるよう微粒子含有液体組成物３をイオン交換水で希釈した後、超音波洗浄機にて５分間分散させて、電気泳動光散乱光度計（大塚電子株式会社社製、ＥＬＳ−８０００、液温２５℃、石英セル使用）を用いて散乱強度を測定した。平均粒子径は付属のソフトウェアを用い、散乱強度からキュムラント解析法により求めた。
【００７４】
２）ｐＨ微粒子含有液体組成物３に対し、液温２５℃でｐＨメーター計（堀場製作所（株）製、カスタニーｐＨメーターＤ−１４）を用いて測定した。
【００７５】
３）ゼータ電位微粒子の固形分濃度が０．１％になるよう微粒子液体組成物３をイオン交換水で分散させた後に、ゼータ電位測定機（ブルックヘブン社製、BI-ZETA plus、液温２０℃、アクリルセル使用）で測定した。
【００７６】
４）細孔半径および細孔容積下記手順に従って前処理した後、試料をセルに入れ、１２０℃で８時間真空脱気してカンタクローム社製のオムニソーブ１を用いて窒素吸着脱離法により測定した。細孔半径および細孔容積はBarrettらの方法（J.am.Dhem.Soc.,Vol７３，３７３，１９５１）により計算から求めた。
【００７７】
（１）上記微粒子含有液体組成物３を大気雰囲気下１２０℃で１０時間乾燥してほぼ溶媒分を蒸発させて乾燥する。
【００７８】
（２）上記乾燥物を１２０℃から７００℃まで１時間で昇温させた後７００℃で３時間焼成する。
【００７９】
（３）焼成後、上記焼成物を徐々に常温に戻し焼成物をメノウ乳鉢で摺り潰して粉体化する。
【００８０】
（その他の実施形態）
本発明のその他の実施形態について説明する。  
図１６は、本発明のその他の実施形態における、ユーザによって端部領域を最大に指定して記録を行う場合の端部領域Ｑｆと反応液の付与量との関係がわかるように示した図である。前記の実施形態では、反応液を端部領域で減少させる割合を一定にしたが、本実施形態では図１６のように非線形に減少させている。その他の構成は、前記の実施形態と同様である。
【００８１】
図１６のように、付与量減少開始時は少ない変化量で、その後、変化量を大きくして、端部領域終了位置に近付くにつれて再度少ない変化量にするという、曲線的な変化量で反応液の付与量を変化させる。このように端部領域内での反応液の付与量を、非線形的に低減させることで、更に自然な記録結果を得ることができる。
【００８２】
なお、本実施形態では曲線的な変化としているが、これに限定するものではなく、端部領域内で何段階かの直線的な変化でもよい。その場合、３段以上より好ましくは８段以上に変化させる。
【００８３】
図１７は、上記各実施形態におけるシステムの構成を示した図である。  
なお、本発明の目的は、上記各実施形態の機能を実現するソフトウェアのプログラムコードを記録した記憶媒体を、システムあるいは装置に供給し、コンピュータ（またはＣＰＵやＭＰＵ）がそのプログラムコードを実行することでも達成され得る。
【００８４】
この場合、記憶媒体から読出されたプログラムコード自体が前述した実施形態の機能を実現することになり、そのプログラムコードを記憶した記憶媒体は本発明を構成することになる。
【００８５】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００８６】
また、コンピュータが読出したプログラムコードを実行することで、前述した実施形態の機能が実現されるだけでなく、そのプログラムコードの指示に基づき、コンピュータ上で稼働しているＯＳ（オペレーティングシステム）が実際の処理を行ってもよい。その処理によって前述した実施形態の機能が実現される場合も含まれることは言うまでもない。
【００８７】
さらに、記憶媒体から読出されたプログラムコードが、コンピュータに挿入された機能拡張ボードやコンピュータに接続された機能拡張ユニットに備わるメモリに書込まれた後に実行されてもよい。つまり、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００８８】
【図１】本発明を適用可能なインクジェット記録装置を示す模式的斜視図である。
【図２】インク吐出部とインクタンクとを一体化したカートリッジを示す模式的斜視図である。
【図３】インク吐出部の構造を模式的に示す部分斜視図である。
【図４】確認に用いた原画像を表わした図である。
【図５】反応液の付与量を少なくして記録を行った結果を表わした図である。
【図６】図５の記録を行った場合の、端部領域と反応液の付与量の関係がわかるように示した図である。
【図７】（ａ）および（ｂ）は、反応液の付与量を低減開始する位置を記録媒体の外端に合わせて記録を行った場合を示した図である。
【図８】本実施形態の記録装置で記録を行った場合の端部領域と反応液の付与量との関係がわかるように示した図である。
【図９】図８に示した記録方法で記録を行った結果を示した図である。
【図１０】ユーザによって端部領域を最大に指定して記録を行った場合であり、その時の記録結果を示した図である。
【図１１】図１０の記録を行った場合の端部領域と反応液の付与量との関係がわかるように示した図である。
【図１２】端部領域の幅を図６における端部領域の幅と同じにして記録を行った結果を表わしている。
【図１３】図１２記録を行った場合の端部領域と反応液の付与量との関係がわかるように示した図である。
【図１４】ユーザによって端部領域を最大に指定して、標準サイズよりも大きな記録媒体に記録を行った結果を表わした図である。
【図１５】図１４の記録を行う場合の端部領域と反応液の付与量との関係がわかるように示した図である。
【図１６】その他の実施形態における、ユーザによって端部領域を最大に指定して記録を行う場合の端部領域と反応液の付与量との関係がわかるように示した図である。
【図１７】上記各実施形態におけるシステムの構成を示した図である。
【図１８】縁無し記録を行っても、記録媒体が汚れない工夫が施された記録装置の記録部を示した図である。
【符号の説明】
【００８９】
１  記録用カートリッジ
２  反応液用カートリッジ
２１  インクタンク部
５１  外端
８２  吐出口
８５  電気熱変換体
１０１  外端
１０２  色味の不自然な部分
１２３  外部吐出量
２０１  端部領域の幅
２２１  端部領域開始位置
２２２  端部領域終了位置
２３１  外部吐出量
１８１１  プラテン
２２０１  インクジェット記録装置
【図１】
2008143051.tif 000003
【図２】
2008143051.tif 000004
【図３】
2008143051.tif 000005
【図４】
2008143051.tif 000006
【図５】
2008143051.tif 000007
【図６】
2008143051.tif 000008
【図７】
2008143051.tif 000009
【図８】
2008143051.tif 000010
【図９】
2008143051.tif 000011
【図１０】
2008143051.tif 000012
【図１１】
2008143051.tif 000013
【図１２】
2008143051.tif 000014
【図１３】
2008143051.tif 000015
【図１４】
2008143051.tif 000016
【図１５】
2008143051.tif 000017
【図１６】
2008143051.tif 000018
【図１７】
2008143051.tif 000019
【図１８】
2008143051.tif 000020